(57)【要約】【課題】本発明は、簡単な構成でディスク装置におけるトレイ引き出し時の必要空間を小さくし、かつディスク装置の小型化を可能とすることを目的する。【解決手段】本発明のディスク装置は、トレイ駆動機構がトレイの往復動作とトラバースユニットの上下動作を行うとともに、扉開閉機構がトレイ駆動機構と連動して、トレイ駆動機構の記録再生位置からの始動時にトレイ引出用開口を開放し、トレイ駆動機構の記録再生位置への終動時にトレイ引出用開口を閉鎖するよう構成されている。【選択図】        図２
2004362645.tif 000002
【特許請求の範囲】
【請求項１】
ディスク状の記録媒体が載置されて、ディスク着脱位置と記録再生位置との間を往復動作するトレイ、
前記トレイが引き出されるトレイ引出用開口を有するキャビネット、
前記キャビネット内に配設され、記録再生位置の記録媒体を保持して記録再生する機能を有するトラバースユニット、
前記トレイの往復動作と前記トラバースユニットの上下動作を交互に行うトレイ駆動機構、
前記キャビネット内に配設され、前記トレイ駆動機構が上下動可能に取り付けられたベースフレームユニット、及び
前記トレイ駆動機構と連動し、前記トレイ駆動機構の記録再生位置からの始動時に前記トレイ引出用開口を開放し、前記トレイ駆動機構の記録再生位置への終動時に前記トレイ引出用開口を閉鎖する扉開閉機構、を具備するディスク装置。
【請求項２】
トレイ駆動機構がトラバースユニットを下降動作させるとき、扉開閉機構がトレイ引出用開口を開放し、前記トレイ駆動機構が前記トラバースユニットを上昇動作させるとき、前記扉開閉機構が前記トレイ引出用開口を閉鎖するよう構成された請求項１に記載のディスク装置。
【請求項３】
扉開閉機構が、キャビネット内に配置された回転扉と、前記回転扉を押圧して回転させる回転レバーと、前記回転扉を回転可能に保持する保持部とを有し、前記回転扉がキャビネットに形成されたトレイ引出用開口を内側から密閉するよう構成された請求項１又は２に記載のディスク装置。
【請求項４】
トレイ駆動機構が、モータの一方向への回転により一方向への直線動作を行う駆動ラックと、前記トレイ駆動機構の記録再生位置からの始動時及び記録再生位置への終動時に前記駆動ラックと係合して回動するチェンジレバーと、前記チェンジレバーの回動により前駆駆動ラックと反対方向への直線動作を行うスライド板と、前記チェンジレバーが前記駆動ラックとの係合が外れた後の前記駆動ラックの直線動作と連動して前記トレイを駆動する駆動アームと、を有する請求項１乃至３のいずれかに記載のディスク装置。
【請求項５】
扉開閉機構が、キャビネット内に配置された回転扉と、前記回転扉を押圧して回転させる回転レバーと、前記回転扉を回転可能に保持する保持部とを有し、前記回転扉がキャビネットに形成されたトレイ引出用開口を内側から完全に閉鎖するよう構成されており、
トレイ駆動機構が、モータの一方向への回転により一方向への直線動作を行う駆動ラックと、前記トレイ駆動機構の記録再生位置からの始動時及び記録再生位置への終動時に前記駆動ラックと係合して回動するチェンジレバーと、前記チェンジレバーの回動により前駆駆動ラックと反対方向への直線動作を行うスライド板と、前記チェンジレバーが前記駆動ラックとの係合が外れた後に前記駆動ラックの直線動作により前記トレイを駆動する駆動アームとを有し、
前記扉開閉機構の前記回転レバーがトレイ駆動機構の記録再生位置からの始動時における前記スライド板の直線動作により回動し、前記回転レバーの回動により前記回転扉を押圧してトレイ引出用開口を開放し、前記回転レバーが前記トレイ駆動機構の記録再生位置への終動時における前記スライド板の直線動作により回動し、前記回転レバーの回動により前記回転扉を押圧して前記トレイ引出用開口を閉鎖するよう構成された請求項１又は２に記載のディスク装置。
【発明の詳細な説明】
【０００１】
【発明の属する技術分野】
本発明は、ディスクの記録再生を行うディスク装置に関し、特に、ディスクを載置したトレイの引き出し動作及び収納動作を行うディスクローディング機構を有するディスク装置に関するものである。
【０００２】
【従来の技術】
記録媒体であるディスクを記録再生するディスク装置において、ディスクを載置するためのトレイを装置外部へ引き出したり、トレイを装置内部へ収納するためにディスクローディング機構が設けられている。
ディスク装置におけるディスクローディング機構は、ディスク装置の前面に設けたトレイ引出用開口より装置外部へトレイを引き出し、又はそのトレイ引出用開口から装置内に収納させるものである。装置内部に収納されたトレイに載置されたディスクは、ディスク駆動手段により駆動されて記録再生される。
【０００３】
図９〜図１１は、従来のディスク装置におけるディスクローディング機構を示す側面断面図である。図９に示した第１の従来例は、キャビネット１の前面パネル１ａに形成されたトレイ引出用開口２からトレイ４が引き出されるよう構成されている。第１の従来例においては、トレイ４の先端側にトレイ引出用開口２を開閉するための扉部４ａがトレイ４と一体的に形成されている。すなわち、第１の従来例におけるトレイ引出用開口２は、トレイ４の収納時にトレイ４の扉部４ａにより閉じられるよう構成されている。
【０００４】
図１０に示した第２の従来例は、キャビネット１の前面パネル１ａに装置の前方へ倒れる扉５が設けられている。この扉５はばね５ａによって常時は閉じる方向に付勢されている。第２の従来例においては、トレイ４の引き出し時に、トレイ４の先端が扉５と当接して扉５を押し倒すよう構成されている。
【０００５】
上記の第１と第２の従来例においては、ディスク３の着脱時に、ディスク３の全面がキャビネットの前面パネル１ａより外側に配置される構成である。ディスク装置において、ディスク３の脱着時に必要な空間は可能な限り小さいことが望まれている。このような要望に応えるディスク装置として図１１に示した構成がある。
【０００６】
図１１に示した第３の従来例は、前述の第１の従来例と同じように、トレイ４の先端側に扉部４ａが一体的に形成されており、トレイ引出用開口２がトレイ４の収納時に扉部４ａにより閉じられるよう構成されている。第３の従来例においては、前面パネル１ａに装置内側へ開く蓋体６が設けられている。第３の従来例においては、蓋体６が装置の内側へ開くよう構成されているため、トレイ４上のディスク３をキャビネット１の前面パネル１ａより外側へ引き出さなくても容易にディスク３を交換することが可能となる。したがって、第３の従来例のディスク装置ではディスク３の脱着時に必要な空間が小さくなるという効果がある。
【０００７】
【特許文献１】
特開平７−２４４９１０号公報（第２−５頁、第３図、第１３図、第１４図）
【０００８】
【発明が解決しようとする課題】
以上のように、第１の従来例のディスク装置においては、トレイ４の先端側に設けた扉部４ａがキャビネット１の前面パネル１ａに形成されたトレイ引出用開口２を閉じるよう構成されている。この扉部４ａは前面パネル１ａのトレイ引出用開口２を完全に閉塞する構成ではなく、扉部４ａと前面パネル１ａとの間には隙間を有している。この結果、第１の従来例においては、上記隙間から塵や埃などが入ってくるおそれがあった。また、トレイ４の先端側に扉部４ａが形成されているため、トレイ４の引き出された状態においてディスク脱着時の必要空間が大きくなるという問題もあった。
【０００９】
また、第２の従来例のディスク装置は、トレイ４の引出動作時や収納動作時において、トレイ４と扉５が当接したり摺動する構成であるため、当接時や摺動時に不愉快な音を発生させるという問題を有していた。
さらに、第３の従来例のディスク装置は、ディスク脱着時においてトレイ４と連動して蓋体６を開閉するための複雑な機構をキャビネット内のトレイ上部空間に設けねばならず、ディスク装置本体の小型化を図る上で問題があった。
【００１０】
本発明は、上記の従来例における各種問題点に鑑みてなされたものであり、簡単な構成でトレイ引き出し時の必要空間を小さくし、かつディスクローディング機構の小型化を図ることが可能なディスク装置を提供することを目的としてなされたものである。
【００１１】
【課題を解決するための手段】
本発明において、上記目的を達成するために、請求項１のディスク装置は、ディスク状の記録媒体が載置されて、ディスク着脱位置と記録再生位置との間を往復動作するトレイ、
前記トレイが引き出されるトレイ引出用開口を有するキャビネット、
前記キャビネット内に配設され、記録再生位置の記録媒体を保持して記録再生する機能を有するトラバースユニット、
前記トレイの往復動作と前記トラバースユニットの上下動作を交互に行うトレイ駆動機構、
前記キャビネット内に配設され、前記トレイ駆動機構が取り付けられたベースフレームユニット、及び
前記トレイ駆動機構と連動し、前記トレイ駆動機構の記録再生位置からの始動時に前記トレイ引出用開口を開放し、前記トレイ駆動機構の記録再生位置への終動時に前記トレイ引出用開口を閉鎖する扉開閉機構、を具備する。このように構成された本発明のディスク装置は、簡単な構成でディスク装置におけるトレイ引出時の必要空間を小さくし、かつディスク装置の小型化を可能としている。
【００１２】
本発明の請求項２のディスク装置は、請求項１の構成において、トレイ駆動機構がトラバースユニットを下降動作させるとき、扉開閉機構がトレイ引出用開口を開放し、前記トレイ駆動機構が前記トラバースユニットを上昇動作させるとき、前記扉開閉機構が前記トレイ引出用開口を閉鎖するよう構成されている。
本発明の請求項３のディスク装置は、請求項１又は２の構成において、扉開閉機構が、キャビネット内に配置された回転扉と、前記回転扉を押圧して回転させる回転レバーと、前記回転扉を回転可能に保持する保持部とを有し、前記回転扉がキャビネットに形成されたトレイ引出用開口を内側から密閉するよう構成されている。
【００１３】
本発明の請求項４のディスク装置は、請求項１又は２の構成において、トレイ駆動機構が、モータの一方向への回転により一方向への直線動作を行う駆動ラックと、前記トレイ駆動機構の記録再生位置からの始動時及び記録再生位置への終動時に前記駆動ラックと係合して回動するチェンジレバーと、前記チェンジレバーの回動により前駆駆動ラックと反対方向への直線動作を行うスライド板と、前記チェンジレバーが前記駆動ラックとの係合が外れた後の前記駆動ラックの直線動作と連動して前記トレイを駆動する駆動アームとを有する。
【００１４】
本発明の請求項５のディスク装置は、請求項１又は２の構成において、扉開閉機構が、キャビネット内に配置された回転扉と、前記回転扉を押圧して回転させる回転レバーと、前記回転扉を回転可能に保持する保持部とを有し、前記回転扉がキャビネットに形成されたトレイ引出用開口を内側から完全に閉鎖するよう構成されており、
トレイ駆動機構が、モータの一方向への回転により一方向への直線動作を行う駆動ラックと、前記トレイ駆動機構の記録再生位置からの始動時及び記録再生位置への終動時に前記駆動ラックと係合して回動するチェンジレバーと、前記チェンジレバーの回動により前駆駆動ラックと反対方向への直線動作を行うスライド板と、前記チェンジレバーが前記駆動ラックとの係合が外れた後に前記駆動ラックの直線動作により前記トレイを駆動する駆動アームとを有し、
前記扉開閉機構の前記回転レバーがトレイ駆動機構の記録再生位置からの始動時における前記スライド板の直線動作により回動し、前記回転レバーの回動により前記回転扉を押圧してトレイ引出用開口を開放し、前記回転レバーが前記トレイ駆動機構の記録再生位置への終動時における前記スライド板の直線動作により回動し、前記回転レバーの回動により前記回転扉を押圧して前記トレイ引出用開口を閉鎖するよう構成されている。
【００１５】
【発明の実施の形態】
以下、本発明に係るディスク装置の好適な実施の形態である実施の形態１を添付の図面を参照して説明する。
【００１６】
《実施の形態１》
図１は本発明に係る実施の形態１のディスク装置の外観を示す斜視図である。図１に示す実施の形態１のディスク装置は、記録媒体としていわゆるＣＤ又はＤＶＤ等のディスク状の記録媒体（以下ディスクと略称する）を使用する装置であり、ディスクの記録再生機能を有している。実施の形態１においては、記録機能及び再生機能を有するディスク装置について説明するが、本発明の構成は記録機能又は再生機能のいずれか一方の機能のみを有するディスク装置に適用可能である。
【００１７】
図１は実施の形態１のディスク装置において、トレイが引き出された状態を示している。図１に示すように、キャビネット１０１の前面パネル１０２には、当該ディスク装置を操作する調整部１２５や動作状況を示す表示部１２６とともにトレイ引出用開口１０３が形成されている。トレイ引出用開口１０３は、ディスクが載置可能に構成されたトレイ１０４の幅及び厚みより僅かに大きい形状を有している。また、トレイ１０４には載置されるディスクの形状に合わせて凹部１０４ａが形成されている。
なお、以下の実施の形態１における説明では、トレイ１０４がキャビネット１０１内から引き出される方向をディスク装置の前方と称し、逆にトレイ１０４がキャビネット１０１内に引き込まれる方向をディスク装置の後方と称する。
【００１８】
図２は実施の形態１のディスク装置における主要な内部機構を示す分解斜視図である。図２において、実施の形態１のディスク装置は、その基本的な構成要素として、トレイ１０４、トレイ１０４を駆動するトレイ駆動機構１０５、トレイ駆動機構１０５が設けられたベースフレームユニット１０６、ベースフレームユニット１０６に対して上昇又は下降するトラバースユニット１０７、前面パネル１０２のトレイ引出用開口１０３の開閉を行う扉開閉機構１０８、トレイ１０４に載置されたディスクをトラバースユニット１０７のターンテーブル１１５とともに挟持するクランプユニット（図示省略）等が設けられている。
【００１９】
ベースフレームユニット１０６に設けられたトレイ駆動機構１０５は、駆動源であるモータ１０９、モータ１０９の回転力を伝導機構１１２を介して伝えられて直線動作の駆動力に変換する駆動ラック１１３、駆動ラック１１３の直線動作に伴い駆動される駆動アーム１１０とチェンジレバー１１１、及びチェンジレバー１１１の回動動作により移動するスライド板１１４により構成されている。スライド板１１４が移動することにより、トラバースユニット１０７はベースフレームユニット１０６に対して上下に移動するよう構成されている。このトラバースユニット１０７には、ディスクの記録再生時にディスクを載置するターンテーブル１１５とディスクに対する記録再生を行う光ヘッドユニット１１６が設けられている。
【００２０】
実施の形態１のディスク装置においては、トレイ駆動機構１０５のスライド板１１４の移動と連動する扉開閉機構１０８が設けられている。扉開閉機構１０８は、スライド板１１４の移動により回動する回動レバー１１７と、回動レバー１１７の押圧動作により回動する回転扉１１８とを有している。回転扉１１８はその回動動作により前面パネル１０２のトレイ引出用開口１０３に対する開閉を行うよう形成されている。
【００２１】
次に、上記のように構成された実施の形態１のディスク装置の動作について説明する。
モータ１０９が駆動されることにより、その駆動力がトレイ駆動機構１０５を介して駆動ラック１１３に伝達されて、駆動ラック１１３がディスク装置の前後方向へスライドする。この駆動ラック１１３のスライド方向は、モータ１０９の回転方向に応じて切り換えられる。
図２に示すように、モータ１０９は、モータ基板を介してベースフレームユニット１０６に対しその裏面側から組み付けられている。
【００２２】
図２に示すように、ベースフレームユニット１０６には、駆動ラック１１３と対向する反対側にスライド板１１４が配設されている。このスライド板１１４は、駆動ラック１１３と平行に延設され、ベースフレームユニット１０６に対してトレイ往復動作方向（ディスク装置の前後方向）へスライド可能に支持されている。また、このスライド板１１４には、トレイ１０４がディスク装置内に引き込まれているとき、トレイ１０４の不用意な前方向への移動を規制するようロック機構が設けられている。このロック機構は、スライド板１１４の後方へのスライド動作によりトレイ１０４のロック状態を解除するよう構成されている。
【００２３】
更に、ベースフレームユニット１０６には、駆動ラック１１３のスライド位置に応じて回動動作を行うチェンジレバー１１１が設けられている。このチェンジレバー１１１は、枢支部１１１ａを中心にしてトレイ１０４のディスク載置面と平行な面内で回動可能にベースフレームユニット１０６に支持されている。
チェンジレバー１１１の一端にはＵ字状の第１の係合部１１１ｂが形成されており、この第１の係合部１１１ｂが駆動ラック１１３の第１のピン１１３ａと係合可能に構成されている。チェンジレバー１１１の他端にはスライド板１１４の後端ピン１１４ａと係合する長孔状の第２の係合部１１１ｃが形成されている。
このチェンジレバー１１１は、スライド板１１４を後方にスライドさせるようバネにより付勢されている。
【００２４】
図２に示すように、実施の形態１のディスク装置においては、前面パネル１０２に形成されたトレイ引出用開口１０３を開閉するための扉開閉機構１０８が設けられている。この扉開閉機構１０８は、スライド板１１４のスライド動作に伴い回動する回動レバー１１７と、回動レバー１１７により押圧されて回転する回転扉１１８と、回転扉１１８を回転可能に保持する保持部である保持フレーム１１９とにより構成されている。この保持フレーム１１９は前面パネル１０２に一体的に構成してもよい。なお、回転扉１１８はばねにより閉鎖する方向に常に付勢されている。
【００２５】
トレイ１０４がディスク装置内に引き込まれて記録再生するときの状態を、以後の説明において「記録再生状態」と言う。この「記録再生状態」においては、ターンテーブル１１５や光ヘッドユニット１１６を有するトラバースユニット１０７がベースフレームユニット１０６に対して上昇した位置にある。
記録再生状態からトレイ１０４の引き出し動作に移る場合には、トラバースユニット１０７がベースフレームユニット１０６に対して下降する。このように、トラバースユニット１０７が下降したときの状態を、以下の説明において「待機状態」と言う。また、トレイ１０４がディスク装置のトレイ引出用開口１０３から完全に引き出された状態を「ディスク着脱状態」と言う。
【００２６】
図３はベースフレームユニット１０６内にある主要な機構の記録再生状態を示す配置図である。但し、図３においては、主要な機構におけるトレイ１０４及び駆動アーム１１０を除いており、特にトレイ駆動機構１０５における駆動ラック１１３、チェンジレバー１１１及びスライド板１１４の記録再生状態における記録再生位置を示している。
【００２７】
図３に示す記録再生状態において、チェンジレバー１１１の第１の係合部１１１ｂは駆動ラック１１３の第１のピン１１３ａと係合しており、チェンジレバー１１１の第２の係合部１１１ｃはスライド板１１４の後端ピン１１４ａと係合している。このとき、ベースフレームユニット１０６において、駆動ラック１１３は最も後方の位置にあり、スライド板１１４は最も前方の位置にある。したがって、駆動ラック１１３とスライド板１１４はチェンジレバー１１１を介して互いに連結されており、チェンジレバー１１１の枢支部１１１ａを中心とした回動動作により、駆動ラック１１３とスライド板１１４は互いに反対方向へスライドする。すなわち、駆動ラック１１３は前方へスライドし、スライド板１１４は後方へスライドする。
【００２８】
図３に示すように、記録再生状態における扉開閉機構１０８はスライド板１１４と回転レバー１１７の係合部１１７ａが当接状態である。この当接状態においては、回転扉１１８の閉鎖部１１８ａがトレイ引出用開口１０３を完全に閉鎖した状態である。この記録再生状態においては、トレイ引出用開口１０３が回転扉１１８の閉鎖部１１８ａにより閉鎖されているため、キャビネット内に塵や埃などの入らない実質的に密閉状態である。この記録再生状態を図７に側面断面図で示す。
【００２９】
上記のように、記録再生状態においては、トレイ駆動機構１０５のモータ１０９の回転により、駆動ラック１１３が前方へスライドし始める。この駆動ラック１１３の前方へのスライド動作により、チェンジレバー１１１が回動してスライド板１１４を後方へスライドさせる。駆動ラック１１３とスライド板１１４のそれぞれの対向する面には溝が形成されており、これらの溝にトラバースユニット１０７の両側面に形成された突起が係合するよう構成されている。駆動ラック１１３とスライド板１１４に形成された各溝形状は、駆動ラック１１３とスライド板１１４の互いに異なる方向へのスライド動作により、トラバースユニット１０７がベースフレームユニット１０６に対して上下するよう形成されている。したがって、記録再生状態から待機状態へ移動するとき、モータ１０９の回転により、駆動ラック１１３が前方へスライドし、スライド板１１４が後方へスライドして、トラバースユニット１０７がベースフレームユニット１０６に対して下降するよう構成されている。このトラバースユニット１０７が下降したときの位置が待機位置であり、このときがトレイ１０４の移動可能な待機状態である。
【００３０】
図４は図３に示したベースフレームユニット１０６内にある主要な機構の待機状態を示す配置図である。図４においては、特にトレイ駆動機構１０５における駆動ラック１１３、チェンジレバー１１１及びスライド板１１４の待機状態の待機位置を示している。図５は待機状態におけるトレイ駆動機構１０５の駆動アーム１１０とトレイ１０４の待機位置を示す配置図である。図６はディスク着脱状態におけるトレイ駆動機構１０５の駆動アーム１１０とトレイ１０４との位置関係を示す配置図である。
【００３１】
記録再生状態から待機状態へ移行するとき、前述のように、駆動ラック１１３が前方へスライドし、チェンジレバー１１１が回動してスライド板１１４を後方へスライドさせる。このスライド板１１４の後方へのスライドにより、スライド板１１４と扉開閉機構１０８の回転レバー１１７の係合部１１７ａとは当接状態ではなくなり、回動レバー１１７が回動する。この結果、回動レバー１１７の押圧部１１７ｂが回転扉１１８の駆動部１１８ｂを押圧して、回転扉１１８を回転させる。これにより、回転扉１１８の閉鎖部１１８ａがトレイ引出用開口１０３を開放状態とする。図８は回転扉１１８が回転して開放状態となったトレイ引出用開口１０３からトレイ１０４が引き出されている状態を示す側面断面図である。
【００３２】
図５に示すように、モータ１０９が駆動されて所定方向へ回転すると、その駆動力は駆動ラック１１３に伝達され、駆動ラック１１３は前方へスライドする。
駆動ラック１１３の第２のピン１１３ｂは、駆動アーム１１０のガイド溝１１０ｂ内を摺動するよう係合している。駆動アーム１１０のガイド溝１１０ｂの平面形状は、屈曲した形状であり、前後直線部１１０Ａと斜行部１１０Ｂとで構成されている。記録再生状態から待機状態への移行時における第２のピン１１３ｂとガイド溝１１０ｂとの係合は、第２のピン１１３ｂがガイド溝１１０ｂの前後直線部１１０Ａと係合しており、第２のピン１１３ｂがガイド溝１１０ｂ内を自由に遊動できる状態である。したがって、駆動ラック１１３が前方へスライドしても、駆動アーム１１０にそのスライド動作による駆動力が伝達されることはなく、駆動アーム１１０は回動することはない。
【００３３】
次に、待機状態からディスク着脱状態への移行動作について説明する。
待機状態において、さらにモータ１０９の回転により、駆動ラック１１３はさらに前方へスライドする。この駆動ラック１１３の前方へのさらなるスライド動作により、駆動ラック１１３の第１のピン１１３ａはチェンジレバー１１１の第１の係合部１１１ｂから外れる。そして、駆動ラック１１３がさらに前方へスライドすると、駆動ラック１１３の第２のピン１１３ｂは駆動アーム１１０のガイド溝１１０ｂの斜行部１１０Ｂと係合状態となる。この結果、駆動ラック１１３の前方へのさらなるスライドにより駆動アーム１１０はその軸体１１０ａを中心として回動し始める。
【００３４】
図５に示すように、駆動アーム１１０の回転中心である軸体１１０ａとは反対側の他端に駆動ピン１１０ｃが形成されている。この駆動ピン１１０ｃはトレイ１０４の左右方向に延設された長孔１０４ｂに係合している。
以上のように、駆動ラック１１３の第２のピン１１３ｂは駆動アーム１１０のガイド溝１１０ｂの斜行部１１０Ｂと係合し、駆動アーム１１０の駆動ピン１１０ｃはトレイ１０４の長孔１０４ｂと係合しているため、図５に示す待機状態から駆動ラック１１３がさらに前方へスライドすると、駆動アーム１１０が回動して、駆動ピン１１０ｃを介してトレイ１０４を前方へ移動させる。この結果、トレイ１０４が開放状態のトレイ引出用開口１０３を通過して図６に示すディスク着脱状態の位置に配置される。
【００３５】
図６に示すディスク着脱状態において、前述の記録再生状態から待機状態への移行動作時の回転方向と逆方向にモータ１０９を回転させると、駆動ラック１１３は後退動作を開始する。このように、モータ１０９を逆方向に回転させることにより、前述した記録再生状態から待機状態を介してディスク着脱状態への移行動作とは逆の収納動作が行われ、トレイ１０４がディスク装置内に引き込まれる。この収納動作において、待機状態から記録再生状態へ移行するとき、トラバースユニット１０７は上昇してターンテーブル１１５が装着されたディスクを記録再生位置に配置する。
【００３６】
上記のように、実施の形態１のディスク装置においては、記録再生状態と待機状態を介したディスク着脱状態との間でトレイ１０４が往復動作するよう構成されており、記録再生状態からの始動時及び記録再生状態への終動時に扉開閉機構１０８がトレイ駆動機構１０５と連動するよう構成されている。なお、図３〜６においては、図面の簡略化のために上記の往復動作と関係のない要素については図示を省略している。
【００３７】
以上のように、実施の形態１のディスク装置においては、トレイ１０４がディスク装置内に配設された駆動ラック１１３、チェンジレバー１１１、スライド板１１４及び駆動アーム１１０によって作動し、スライド板１１４の動作に伴いトレイ引出用開口１０３の開閉動作を行うよう構成されている。また、実施の形態１のディスク装置は、記録再生状態から待機状態への移行動作時、又はその逆の待機状態から記録再生状態への移行動作時において、トラバースユニット１０６の駆動に用いるスライド板１１４をトレイ引出用開口１０３の開閉動作に用いているため、複雑な機構を用いることが無く扉の開閉機構を行うことができる。
【００３８】
また、実施の形態１のディスク装置においては、装置の外部へ突出することのない扉を用いることによりその外観性を非常に良好に保つことが可能となっている。さらに、実施の形態１のディスク装置における扉開閉機構は、トレイ引出用開口を完全に密閉状態とすることが可能となり、キャビネット内の精密機械に対する塵や埃による事故を防止することが可能となる。
なお、上記の実施の形態１においては、横置きのディスク装置について説明したが、本発明はこのような構成に限定されるものではなく、縦置きのディスク装置に適用することが可能である。
【００３９】
【発明の効果】
以上、実施の形態について詳細に説明したところから明らかなように、本発明は次の効果を有する。
本発明によれば、簡単な構成でディスク装置におけるトレイ引き出し時の必要空間を小さくし、かつディスク装置の小型化を可能とすることができる。
本発明のディスク装置は、記録再生状態から待機状態への移行動作時、又はその逆の待機状態から記録再生状態への移行動作時において、トラバースユニットの駆動に用いるスライド板をトレイ引出用開口の開閉動作に用いているため、複雑な機構を用いることが無く扉の開閉機構を構築することが可能となる。
【００４０】
また、本発明のディスク装置においては、トレイの移動による扉との当接により、扉の開閉動作を行っていないため、扉の開閉時に生じる不快な音の発生を無くすことができる。さらに、本発明においては、扉が装置の外部へ突出しない構成であるため、優れた外観を保持するディスク装置を構築することが可能となる。
【図面の簡単な説明】
【図１】本発明に係る実施の形態１のディスク装置を示す外観斜視図である。
【図２】実施の形態１のディスク装置の内部機構を示す分解斜視図である。
【図３】実施の形態１のディスク装置における主要な内部機構の記録再生状態を示す配置図である。
【図４】実施の形態１のディスク装置における主要な内部機構の待機状態を示す配置図である。
【図５】実施の形態１のディスク装置における待機状態の主要な内部機構の位置関係を示す配置図である。
【図６】実施の形態１のディスク装置におけるディスク着脱状態の主要な内部機構の位置関係を示す配置図である。
【図７】実施の形態１のディスク装置における扉開閉機構の記録再生状態から待機状態への移行時の動作を示す側面断面図である。
【図８】実施の形態１のディスク装置における扉開閉機構の待機状態からディスク着脱状態への移行時の動作を示す側面断面図である。
【図９】従来のディスクローディング機構を示す側面断面図である。
【図１０】従来のディスクローディング機構を示す側面断面図である。
【図１１】従来のディスクローディング機構を示す側面断面図である。
【符号の説明】
１０１  キャビネット
１０２  前面パネル
１０３  トレイ引出用開口
１０４  トレイ
１０５  トレイ駆動機構
１０６  ベースフレームユニット
１０７  トラバースユニット
１０８  扉開閉機構
１０９  モータ
１１０  駆動アーム
１１１  チェンジレバー
１１２  駆動機構
１１３  駆動ラック
１１４  スライド板
１１５  ターンテーブル
１１６  光ヘッドユニット
１１７  回転レバー
１１８  回転扉
１１９  保持フレーム
【図１】
2004362645.tif 000003
【図２】
2004362645.tif 000004
【図３】
2004362645.tif 000005
【図４】
2004362645.tif 000006
【図５】
2004362645.tif 000007
【図６】
2004362645.tif 000008
【図７】
2004362645.tif 000009
【図８】
2004362645.tif 000010
【図９】
2004362645.tif 000011
【図１０】
2004362645.tif 000012
【図１１】
2004362645.tif 000013